(57)【要約】【課題】  放送波のエリア制限を反映させて移動体通信網を介してのコンテンツ受信への切り替えを可能とする視聴システムを提供すること。【解決手段】  この視聴システム１ａは、放送網５０を介して行っている受信の品質が所定の品質を下回ったことを検知する品質検知部１０３と、当該検知に応じて、放送網５０を介してのコンテンツの受信を移動体通信網６０を介してのコンテンツの受信に切り替えるコンテンツ受信部１０９と、携帯電話機１０に対してコンテンツを送信している放送局４０を特定する放送局ＩＤを取得する放送波受信部１０１と、当該取得した放送局ＩＤに基づいて、携帯電話機１０が視聴可能なコンテンツを限定する切替序湯方特定部２０２と、を備え、コンテンツ受信部１０９がコンテンツの受信を切り替える際に、切替情報特定部２０２が限定したコンテンツを受信するようにコンテンツの受信を切り替える。【選択図】  図１
2005136879.tif 000002
【特許請求の範囲】
【請求項１】
放送網を介してのコンテンツの受信と、移動体通信網を介してのコンテンツの受信が可能な視聴端末を含む視聴システムであって、
前記放送網を介して行っている受信の品質が所定の品質を下回ったことを検知する品質検知手段と、
当該検知に応じて、前記放送網を介してのコンテンツの受信を前記移動体通信網を介してのコンテンツの受信に切り替える受信切替手段と、
前記放送網に含まれる放送局であって前記視聴端末に対してコンテンツを送信している放送局を特定する放送局特定情報を取得する局情報取得手段と、
当該取得した放送局特定情報に基づいて、前記視聴端末が視聴可能なコンテンツを限定する視聴制限手段と、を備え、
前記受信切替手段がコンテンツの受信を切り替える際に、前記視聴制限手段が限定したコンテンツを受信するように前記コンテンツの受信を切り替える、視聴システム。
【請求項２】
前記視聴制限手段は前記放送局特定情報に基づいて、前記視聴端末へ前記放送網を介して送信されるコンテンツに対応するコンテンツを前記移動体通信網を介して送信する送信元を特定するコンテンツ送信元情報を取得し、
前記受信切替手段は当該取得したコンテンツ送信元情報で特定される送信元に前記対応するコンテンツの送信を要求することでコンテンツの受信を切り替える、請求項１に記載の視聴システム。
【請求項３】
前記視聴制限手段は前記放送局特定情報に基づいて、前記視聴端末へ前記放送網を介して送信されるコンテンツに対応するコンテンツを前記移動体通信網を介して送信する送信元に対して当該送信を開始するように要求し、
前記受信切替手段は当該要求に応じて送信される前記対応するコンテンツの受信を開始することでコンテンツの受信を切り替える、請求項１に記載の視聴システム。
【請求項４】
前記受信切替手段がコンテンツの受信を前記移動体通信網を介しての受信に切り替えた後において、
前記品質検知手段は、前記放送網を介して行っている受信の品質が所定の品質を上回ったことを検知し、
前記受信切替手段は、当該検知に応じて前記移動体通信網を介してのコンテンツの受信を前記放送網を介してのコンテンツの受信に切り替える、請求項１から３のいずれか１項に記載の視聴システム。
【発明の詳細な説明】
【技術分野】
【０００１】
本発明は、放送網を介してのコンテンツの受信と、移動体通信網を介してのコンテンツの受信が可能な視聴端末を含む視聴システムに関する。
【背景技術】
【０００２】
放送網を介してのコンテンツの受信と、移動体通信網を介してのコンテンツの受信が可能な視聴端末としては、放送波の劣化をトリガとして移動体通信網を介しての受信に切り替えるものがある（例えば、下記特許文献１参照。）。
【特許文献１】特開２００３−６９９１０号公報
【発明の開示】
【発明が解決しようとする課題】
【０００３】
放送網を介してのコンテンツ放送は、エリアごとに受信できるコンテンツが決められている。しかしながら、移動体通信網を介してコンテンツを受信する際にはそのような受信制限が無い。従って、従来の技術では移動体通信網を介しての受信に切り替えた場合に、本来視聴できるエリアを越えてコンテンツの受信が可能であった。
【０００４】
そこで本発明では、放送網のエリア制限を反映させて移動体通信網を介してのコンテンツ受信への切り替えを可能とする視聴システムを提供することを目的とする。
【課題を解決するための手段】
【０００５】
本発明の視聴システムは、放送網を介してのコンテンツの受信と、移動体通信網を介してのコンテンツの受信が可能な視聴端末を含む視聴システムであって、（１）放送網を介して行っている受信の品質が所定の品質を下回ったことを検知する品質検知手段と、（２）当該検知に応じて、放送網を介してのコンテンツの受信を移動体通信網を介してのコンテンツの受信に切り替える受信切替手段と、（３）放送網に含まれる放送局であって視聴端末に対してコンテンツを送信している放送局を特定する放送局特定情報を取得する局情報取得手段と、（４）当該取得した放送局特定情報に基づいて、視聴端末が視聴可能なコンテンツを限定する視聴制限手段と、を備え、（５）受信切替手段がコンテンツの受信を切り替える際に、視聴制限手段が限定したコンテンツを受信するようにコンテンツの受信を切り替える。
【０００６】
本発明の視聴システムによれば、放送網を介して行っている受信の品質低下に応じて移動体通信網を介してコンテンツを受信するように切り替えるので、例えば放送波の届きにくいような建物の陰であってもコンテンツを受信できる。また、放送網でコンテンツを送信している放送局を特定する放送局特定情報に基づいて視聴可能なコンテンツを限定するので、他のエリアを担当する放送局が送信するコンテンツを誤って受信する可能性を低減できる。
【０００７】
また本発明の視聴システムでは、（６）視聴制限手段は放送局特定情報に基づいて、視聴端末へ放送網を介して送信されるコンテンツに対応するコンテンツを移動体通信網を介して送信する送信元を特定するコンテンツ送信元情報を取得し、（７）受信切替手段は当該取得したコンテンツ送信元情報で特定される送信元に対応するコンテンツの送信を要求することでコンテンツの受信を切り替えることも好ましい。視聴端末が放送網を介して受信しているコンテンツを移動体通信網上で送信可能な送信元に対して、その対応するコンテンツを送信するように要求するので、視聴端末は放送網を介して受信しているコンテンツと対応するコンテンツを移動体通信網を介して受信できる。従って、他のエリアを担当する放送局が送信するコンテンツを誤って受信する可能性を低減できる。
【０００８】
また本発明の視聴システムでは、（８）視聴制限手段は放送局特定情報に基づいて、視聴端末へ放送網を介して送信されるコンテンツに対応するコンテンツを移動体通信網を介して送信する送信元に対して当該送信を開始するように要求し、（９）受信切替手段は当該要求に応じて送信される対応するコンテンツの受信を開始することでコンテンツの受信を切り替えることも好ましい。視聴端末が放送網を介して受信しているコンテンツを移動体通信網上で送信可能な送信元に対する要求に応じて送信されるコンテンツの受信を開始するので、視聴端末は放送網を介して受信しているコンテンツと対応するコンテンツを移動体通信網を介して受信できる。従って、他のエリアを担当する放送局が送信するコンテンツを誤って受信する可能性を低減できる。
【０００９】
また本発明の視聴システムでは、受信切替手段がコンテンツの受信を前記移動体通信網を介しての受信に切り替えた後において、品質検知手段は、放送網を介して行っている受信の品質が所定の品質を上回ったことを検知し、受信切替手段は、当該検知に応じて移動体通信網を介してのコンテンツの受信に切り替えることも好ましい。移動体通信網を介してコンテンツの受信をしている場合であって放送波の受信品質が回復した場合に、放送網を介してのコンテンツの受信に戻すことができる。
【発明の効果】
【００１０】
本発明の視聴システムを用いると、放送網のエリア制限を反映させて移動体通信網を介してのコンテンツ受信への切り替えを行うことができる。
【発明を実施するための最良の形態】
【００１１】
本発明の知見は、例示のみのために示された添付図面を参照して以下の詳細な記述を考慮することによって容易に理解することができる。引き続いて、添付図面を参照しながら本発明を実施するための形態を説明する。可能な場合には、同一の部分には同一の符号を付して、重複する説明を省略する。
【００１２】
（第一実施形態）
本発明の第一実施形態である視聴システムについて図１を参照しながら説明する。図１は、視聴システム１ａの構成を示した図である。視聴システム１ａは、携帯電話機１０（視聴端末）と、視聴管理サーバ２０と、同時再送信サーバ３０と、放送局４０とを含む。放送局４０は放送網５０を介して携帯電話機１０にコンテンツを放送することができる。放送局４０が放送するコンテンツは同時再送信サーバ３０も受信することができる。携帯電話機１０、視聴管理サーバ２０、及び同時再送信サーバ３０は、それぞれ移動体通信網６０を介して相互に情報通信可能なように構成されている。
【００１３】
引き続いて、携帯電話機１０について説明する。携帯電話機１０は移動体通信網６０を介しての音声通話やデータ通信と共に、放送網５０を介してのコンテンツ受信も可能な視聴端末である。携帯電話機１０は機能的な構成要素として、放送波受信部１０１（局情報取得手段）と、視聴部１０２と、品質検知部１０３（品質検知手段）と、切替確認部１０４と、切替要求送信部１０５（受信切替手段）と、切替情報受信部１０６（受信切替手段）と、視聴確認部１０７と、コンテンツ要求送信部１０８（受信切替手段）と、コンテンツ受信部１０９（受信切替手段）とを含む。引き続いて各構成要素について説明する。
【００１４】
放送波受信部１０１は、放送局４０から送信されるコンテンツを放送網５０を介して受信する部分である。放送波受信部１０１は受信したコンテンツを視聴部１０２に出力する。また、放送波受信部１０１はコンテンツ受信の品質を特定する情報を品質検知部１０３に出力する。この情報には、受信している電波の電界強度や、エラーレートといった情報が含まれる。また、放送波受信部１０１はコンテンツを受信する場合にそのコンテンツを送信している放送局を特定する放送局特定情報（例えば、放送局ＩＤや系列ＩＤ）を取得し、その取得した放送局特定情報を品質検知部１０３に出力する。
【００１５】
視聴部１０２は、放送波受信部１０１から出力されるコンテンツをディスプレイといった画像出力装置（図示しない）やスピーカといった音声出力装置（図示しない）に出力する部分である。視聴部１０２は、後述するようにコンテンツ受信部１０９から出力されるコンテンツをディスプレイといった画像出力装置（図示しない）やスピーカといった音声出力装置（図示しない）に出力する部分でもある。視聴部１０２は、後述するように切替確認部１０４から出力される指示に基づいて、放送波受信部１０１から出力されるコンテンツかコンテンツ受信部１０９から出力されるコンテンツかのいずれかを排他的にディスプレイといった画像出力装置（図示しない）やスピーカといった音声出力装置（図示しない）に出力する。
【００１６】
品質検知部１０３は、放送波受信部１０１から出力されるコンテンツ受信の品質を特定する情報に基づいて、放送網５０を介して行っているコンテンツ受信の品質が所定の品質を下回っているかどうかを検知する部分である。品質検知部１０３はその検知の結果、コンテンツ受信の品質が所定の品質を下回っていると判断した場合には、その旨を示す情報とそのコンテンツを送信している放送局を特定する放送局特定情報とを切替確認部１０４に出力する。また、品質検知部１０３は、放送波受信部１０１から出力されるコンテンツ受信の品質を特定する情報に基づいて、放送網５０を介して行っているコンテンツ受信の品質が所定の品質を上回っているかどうかも検知する。品質検知部１０３はその検知の結果、コンテンツ受信の品質が所定の品質を上回っていると判断した場合には、その旨を示す情報を切替確認部１０４に出力する。
【００１７】
切替確認部１０４は、品質検知部１０３から出力される情報に基づいて、ディスプレイといった画像出力装置（図示しない）に所定のメッセージを表示させるように視聴部１０２に指示する部分である。例えば、品質検知部１０３から出力される情報がコンテンツ受信の品質が所定の品質を下回っている旨のものである場合には、「通信による視聴を継続しますか？」というメッセージと「はい」「いいえ」の選択ボタンとを表示させるように指示する。この表示に対して携帯電話機１０のユーザが「はい」の選択ボタンを選択した場合には、切替確認部１０４は切替要求送信部１０５に通信による視聴継続のために必要な情報を取得するように指示する。切替確認部１０４はこの指示の際に、品質検知部１０３から出力される放送局特定情報を共に出力する。一方、この表示に対して携帯電話機１０のユーザが「いいえ」の選択ボタンを選択した場合にはそのまま処理を終了する。
【００１８】
品質検知部１０３から出力される情報がコンテンツ受信の品質が所定の品質を上回っている旨のものである場合には、「放送エリアに入りました。放送波による視聴を再開しますか？」というメッセージと「はい」「いいえ」の選択ボタンとを表示させるように切替確認部１０４が視聴部１０２に指示する。この表示に対して携帯電話機１０のユーザが「はい」の選択ボタンを選択した場合には、切替確認部１０４はコンテンツ受信部１０９に対してコンテンツの出力を停止するように指示し、視聴部１０２に対しては放送波受信部１０１から出力されるコンテンツを表示するように指示する。
【００１９】
切替要求送信部１０５は、切替確認部１０４から出力される情報に基づいて視聴管理サーバ２０に対して通信による視聴継続のために必要な情報を送信するように要求する部分である。より具体的には、切替確認部１０４から出力される放送局特定情報と、携帯電話機１０を特定する情報とを視聴管理サーバ２０に送信することで、携帯電話機１０が移動体通信網６０を介してコンテンツを取得するための接続先に関する情報（電話番号、ＵＲＬ）の返信を要求する。
【００２０】
切替情報受信部１０６は、切替要求送信部１０５から送信される要求に応じて視聴管理サーバから返信される、携帯電話機１０が移動体通信網６０を介してコンテンツを取得するための接続先に関する情報（電話番号、ＵＲＬ）を受信して視聴確認部１０７に出力する部分である。
【００２１】
視聴確認部１０７は、切替情報受信部１０６から出力される情報に基づいて、ディスプレイといった画像出力装置（図示しない）に所定のメッセージを表示させるように視聴部１０２に指示する部分である。例えば、切替情報受信部１０６から出力される情報が接続先の電話番号である場合には、「テレビ電話回線を利用して視聴しますか？」というメッセージと「はい」「いいえ」の選択ボタンとを表示させるように指示する。この表示に対して携帯電話機１０のユーザが「はい」の選択ボタンを選択した場合には、視聴確認部１０７はコンテンツ要求送信部１０８に対して接続先の電話番号を出力して、その電話番号に発呼するように指示する。一方、この表示に対して携帯電話機１０のユーザが「いいえ」の選択ボタンを選択した場合にはそのまま処理を終了する。例えば、切替情報受信部１０６から出力される情報が接続先の電話番号である場合には、「パケット通信を利用して視聴しますか？」というメッセージと「はい」「いいえ」の選択ボタンとを表示させるように指示する。この表示に対して携帯電話機１０のユーザが「はい」の選択ボタンを選択した場合には、視聴確認部１０７はコンテンツ要求送信部１０８に対して接続先のＵＲＬを出力して、そのＵＲＬで特定されるロケーションに対して接続するように指示する。一方、この表示に対して携帯電話機１０のユーザが「いいえ」の選択ボタンを選択した場合にはそのまま処理を終了する。
【００２２】
コンテンツ要求送信部１０８は、視聴確認部１０７から出力される情報に基づいて、その情報によって特定される同時再送信サーバ３０に対してコンテンツの送信を要求する部分である。より具体的には、視聴確認部１０７から出力される情報が接続先の電話番号である場合には、コンテンツ要求送信部１０８はその電話番号で特定される同時再送信サーバ３０に発呼し、呼接続を確立した上でコンテンツを送信するように要求する。また、視聴確認部１０７から出力される情報が接続先のＵＲＬである場合には、コンテンツ要求送信部１０８はそのＵＲＬで特定される同時再送信サーバ３０にアクセスし、コンテンツを送信するように要求する。
【００２３】
コンテンツ受信部１０９は、コンテンツ要求送信部１０８が送信するコンテンツの送信要求に応じて同時再送信サーバ３０から送信されるコンテンツを受信し、視聴部１０２に出力する部分である。コンテンツ受信部１０９は、切替確認部１０４からコンテンツの受信を停止する指示が出力された場合にはコンテンツの受信を停止する。
【００２４】
引き続いて、視聴管理サーバ２０について説明する。視聴管理サーバ２０は物理的には、ＣＰＵ（中央処理装置）、メモリ、マウスやキーボードといった入力装置、ディスプレイといった表示装置、ハードディスクといった格納装置などを備えたコンピュータシステム（若しくはコンピュータシステムの集合体）である。視聴管理サーバ２０は機能的な構成要素として、切替要求受信部２０１と、切替情報特定部２０２（視聴制限手段）と、切替情報送信部２０３と、切替情報格納部２５１とを含む。引き続いて各構成要素について説明する。
【００２５】
切替要求受信部２０１は、携帯電話機１０の切替要求送信部１０５が送信する放送局特定情報と携帯電話機１０を特定する情報とを受信する部分である。切替要求受信部２０１は、受信した放送局特定情報及び携帯電話機１０を特定する情報を切替情報特定部２０２に出力する。
【００２６】
切替情報特定部２０２は、切替要求受信部２０１から出力される情報に基づいて、携帯電話機１０が移動体通信網６０を介してコンテンツを取得するための接続先に関する情報（電話番号、ＵＲＬ）を切替情報格納部２５１から選択し、その選択した情報を携帯電話機１０を特定する情報と共に切替情報送信部２０３に出力する部分である。切替情報格納部２５１に格納されている情報の例を図２（Ａ）及び図２（Ｂ）に示す。図２（Ａ）に示す例は、コンテンツを取得するための接続先に関する情報が電話番号である例を示している。図２（Ａ）に示す例によれば、「放送局ＩＤ」「放送局名」「再生電話番号」が関連付けられて格納されている。「放送局ＩＤ」は放送局特定情報であって、同一系列であるかどうかを問わずに各放送局固有に割り当てられているＩＤである。従って、切替情報特定部２０２は切替要求受信部２０１から出力される放送局特定情報と合致する「放送局ＩＤ」の「再生電話番号」を選択して切替情報送信部２０３に出力する。図２（Ｂ）に示す例は、コンテンツを取得するための接続先に関する情報がＵＲＬである例を示している。図２（Ｂ）に示す例によれば、「放送局ＩＤ」「放送局名」「再生ＵＲＬ」が関連付けられて格納されている。図２（Ａ）の「再生電話番号」が「再生ＵＲＬ」に置き換えられているだけであるから、情報の選択動作は前述の通りである。
【００２７】
切替情報送信部２０３は、切替情報特定部２０２から出力される携帯電話機１０を特定する情報に基づいて、切替情報特定部２０２から出力される「再生電話番号」又は「再生ＵＲＬ」を携帯電話機１０に送信する部分である。
【００２８】
引き続いて、同時再送信サーバ３０について説明する。同時再送信サーバ３０は物理的には、ＣＰＵ（中央処理装置）、メモリ、マウスやキーボードといった入力装置、ディスプレイといった表示装置、ハードディスクといった格納装置などを備えたコンピュータシステム（若しくはコンピュータシステムの集合体）である。同時再送信サーバ３０は機能的な構成要素として、コンテンツ要求受信部３０１と、コンテンツ送信部３０２と、放送波受信部３０３と、コンテンツ格納部３５１とを含む。引き続いて各構成要素について説明する。
【００２９】
コンテンツ要求受信部３０１は、携帯電話機１０のコンテンツ要求送信部１０８から送信されるコンテンツの送信要求を受信し、その受信した送信要求をコンテンツ送信部３０２に出力する部分である。
【００３０】
コンテンツ送信部３０２は、コンテンツ要求受信部３０１から出力されるコンテンツの送信要求に応じてコンテンツを携帯電話機１０に送信する部分である。コンテンツ送信部３０２は、放送波受信部３０３が受信してデコードしたコンテンツを携帯電話機１０に送信する。また、コンテンツ送信部３０２は、放送波受信部３０３が受信してコンテンツ格納部３５１に格納したコンテンツを送信してもよい。コンテンツ格納部３５１に格納されている情報の例を図３に示す。図３に示す例によれば、コンテンツ格納部３５１には「放送局ＩＤ」「コンテンツ」「放送時間」が関連付けられて格納されている。コンテンツ送信部３０２は現在時刻に対応した「放送時間」に関連付けられた「コンテンツ」を選択して送信する。
【００３１】
放送波受信部３０３は、放送局４０が放送するコンテンツを受信し、その受信したコンテンツをデコードしてコンテンツ送信部３０２に出力する部分である。
【００３２】
引き続いて、携帯電話機１０、視聴管理サーバ２０、及び同時再送信サーバ３０の動作について図４を参照しながら説明する。図４は、携帯電話機１０、視聴管理サーバ２０、及び同時再送信サーバ３０の動作を説明するためのシーケンス図である。
【００３３】
携帯電話機１０の放送波受信部１０１がコンテンツを受信し、その受信したコンテンツは視聴部１０２に出力されて再生される（ステップＳ０１）。携帯電話機１０は移動局であるから、携帯電話機１０のユーザが移動することで放送波が届きにくい場所に入る場合がある。品質検知部１０３はこのような場合に備えて放送波の受信品質が所定の品質を下回らないか監視する（ステップＳ０２）。
【００３４】
品質検知部１０３が受信品質の低下を検知すると、切替確認部１０４がユーザに対して通信で視聴を継続するかどうか確認する（ステップＳ０３）。ユーザが視聴継続を希望すれば、切替要求送信部１０５は放送局特定情報を視聴管理サーバ２０に送信する（ステップＳ０４）。
【００３５】
視聴管理サーバ２０の切替情報特定部２０２は、切替要求受信部２０１が受信した放送局特定情報に対応する接続先の情報を切替情報格納部２５１から選択する（ステップＳ０５）。この選択された接続先の情報は、切替情報送信部２０３が携帯電話機１０に送信する（ステップＳ０６）。
【００３６】
携帯電話機１０に送信された接続先の情報は切替情報受信部１０６が受信して視聴確認部１０７に出力する。視聴確認部１０７は、前述のようにユーザに対して最終確認を取って、ユーザが通信による視聴継続を希望した場合にはコンテンツ要求送信部１０８にその接続先の情報を出力する。コンテンツ要求送信部１０８は、その接続先の情報に基づいて同時再送信サーバ３０に対して発呼若しくは接続動作を行い、コンテンツを送信するように要求する（ステップＳ０７）。
【００３７】
同時再送信サーバ３０のコンテンツ送信部３０２は、コンテンツ要求受信部３０１が受信したコンテンツの送信要求に基づいて、放送波受信部３０３が受信して出力するコンテンツ若しくはコンテンツ格納部３５１に格納されているコンテンツの中から送信すべきコンテンツを特定する（ステップＳ０８）。コンテンツ送信部３０２は、この特定したコンテンツを携帯電話機１０に送信する（ステップＳ０９）。
【００３８】
携帯電話機１０に送信されたコンテンツはコンテンツ受信部１０９が受信し、視聴部１０２に出力することで再生される（ステップＳ１０）。
【００３９】
前述のように携帯電話機１０はユーザと共に移動するから、再び放送波の品質が所定の品質を上回って、放送波によるコンテンツの視聴が可能になる場合もある。従って、携帯電話機１０の放送波受信部１０１は常に放送波を受信しており、品質検知部１０３はその受信品質を検知して放送波の品質が所定の品質を上回っているかどうかを判断する（ステップＳ１１）。尚、携帯電話機１０の放送波受信部１０１は所定の間隔（一定の間隔や予め定められたパターンに基づく間隔）で放送波を受信するようにしてもよい。
【００４０】
放送波の品質が所定の品質を上回っていれば、品質検知部１０３はその旨の情報を切替確認部１０４に出力する。切替確認部１０４は前述のように、ユーザに対して放送波によるコンテンツの視聴に戻すかどうかを確認する（ステップＳ１２）。ユーザが放送波による視聴を希望すれば、切替確認部１０４はコンテンツ受信部１０９に対してコンテンツの受信を停止するように指示し、視聴部１０２には放送波受信部１０１が出力するコンテンツを出力するように指示する（ステップＳ１３）。従って、放送波受信部１０１が受信したコンテンツが視聴部１０２に出力されて、放送波によるコンテンツの受信及び再生が可能となる（ステップＳ１４）。
【００４１】
（第二実施形態）
本発明の第二実施形態である視聴システムについて図５を参照しながら説明する。図５は、視聴システム１ｂの構成を示した図である。視聴システム１ｂは、携帯電話機７０（視聴端末）と、交換機８０と、同時再送信サーバ３０と、放送局４０とを含む。放送局４０は放送網５０を介して携帯電話機７０にコンテンツを放送することができる。放送局４０が放送するコンテンツは同時再送信サーバ３０も受信することができる。携帯電話機７０は移動体通信網６０に含まれる交換機８０を介して移動体通信網６０に接続されている。従って、携帯電話機７０と同時再送信サーバ３０とは、移動体通信網６０を介して相互に情報通信可能なように構成されている。尚、同時再送信サーバ３０については第一実施形態において説明したとの同様であるから説明を省略する。
【００４２】
引き続いて、携帯電話機７０について説明する。携帯電話機７０は移動体通信網６０を介しての音声通話やデータ通信と共に、放送網５０を介してのコンテンツ受信も可能な視聴端末である。携帯電話機７０は機能的な構成要素として、放送波受信部１０１（局情報取得手段）と、視聴部１０２と、品質検知部１０３（品質検知手段）と、切替確認部１０４と、コンテンツ要求送信部７０１（受信切替手段）と、コンテンツ受信部１０９（受信切替手段）と、登録番号格納部７５１とを含む。引き続いて各構成要素について説明する。尚、放送波受信部１０１、視聴部１０２、品質検知部１０３、切替確認部１０４、及びコンテンツ受信部１０９のそれぞれは、第一実施形態において説明したのと同様であるから説明を省略する。
【００４３】
コンテンツ要求送信部７０１は、切替確認部１０４から出力される情報に基づいて登録番号格納部７５１に格納されている電話番号を選択し、その電話番号に対して発呼することでコンテンツの送信を要求する部分である。より具体的には、切替確認部１０４から出力される放送局特定情報に対応する電話番号を登録番号格納部７５１に格納されている電話番号から選択する。登録番号格納部７５１に格納されている情報の例を図６に示す。図６に示す例によれば、登録番号格納部７５１には「系列ＩＤ」「系列名」「登録電話番号」がそれぞれ関連付けられて格納されている。「系列ＩＤ」とは各放送局が属している放送網の系列を特定する情報である。第二実施形態では切替確認部１０４から出力される放送局特定情報は系列ＩＤであるので、コンテンツ要求送信部７０１は対応する「系列ＩＤ」に関連付けられている「登録電話番号」を選択する。コンテンツ要求送信部７０１はこの選択した「登録電話番号」に発呼することでコンテンツの送信を要求する。
【００４４】
コンテンツ受信部１０９は、コンテンツ要求送信部７０１が送信するコンテンツの送信要求に応じて同時再送信サーバ３０から送信されるコンテンツを受信し、視聴部１０２に出力する。コンテンツ受信部１０９は、切替確認部１０４からコンテンツの受信を停止する指示が出力された場合にはコンテンツの受信を停止する。
【００４５】
引き続いて、交換機８０について説明する。交換機８０は移動体通信網６０に含まれる交換機であって、通常の交換機の機能に加えて、コンテンツ要求受信部８０１と、転送情報特定部８０２（視聴制限手段）と、コンテンツ要求転送部８０３と、転送情報格納部８５１とを含む。引き続いて各構成要素について説明する。
【００４６】
コンテンツ要求受信部８０１は、携帯電話機７０のコンテンツ要求送信部７０１が登録電話番号に発呼した場合に、その発呼した登録電話番号を受信する部分である。コンテンツ要求受信部８０１は、携帯電話機７０を特定する情報と共に受信した登録電話番号を転送情報特定部８０２に出力する。
【００４７】
転送情報特定部８０２は、コンテンツ要求受信部８０１が出力する登録電話番号に基づいて転送情報格納部８５１に格納されている転送先の電話番号を選択する部分である。転送情報格納部８５１に格納されている情報の例を図７（Ａ）及び図７（Ｂ）に示す。図７（Ａ）に示す例と図７（Ｂ）に示す例とは、交換機８０が異なる場所（例えば、図７（Ａ）が日本の東京、図７（Ｂ）が日本の大阪）にある場合の例をそれぞれ示している。図７（Ａ）及び図７（Ｂ）に示す例によれば、転送情報格納部８５１には「登録電話番号」「放送局名」「転送電話番号」がそれぞれ関連付けられて格納されている。従って、転送情報特定部８０２は、登録電話番号に対応する転送電話番号を選択して、携帯電話機７０を特定する情報と共にコンテンツ要求転送部８０３に出力する。
【００４８】
コンテンツ要求転送部８０３は、転送情報特定部８０２から出力される転送電話番号に対して携帯電話機７０からの発呼を転送する部分である。従って、交換機８０の転送情報格納部８５１に格納されている転送電話番号が、交換機８０が設置されている地域に応じて適正化されているので、携帯電話機７０からの発呼は視聴中の放送局の系列に対応する同時再送信サーバ３０へ転送される。
【００４９】
同時再送信サーバ３０では、コンテンツ要求受信部３０１がこの転送されてくる発呼に基づいて呼を確立し、携帯電話機７０からコンテンツの送信要求を受け取る。この送信要求に応じてコンテンツ送信部３０２が携帯電話機７０に対してコンテンツを送信し、携帯電話機７０のコンテンツ受信部１０９が受信することで視聴可能となる。
【００５０】
引き続いて、携帯電話機７０、交換機８０、及び同時再送信サーバ３０の動作について図８を参照しながら説明する。図８は、携帯電話機７０、交換機８０、及び同時再送信サーバ３０の動作を説明するためのシーケンス図である。
【００５１】
携帯電話機７０の放送波受信部１０１がコンテンツを受信し、その受信したコンテンツは視聴部１０２に出力されて再生される（ステップＳ２１）。携帯電話機７０は移動局であるから、携帯電話機７０のユーザが移動することで放送波が届きにくい場所に入る場合がある。品質検知部１０３はこのような場合に備えて放送波の受信品質が所定の品質を下回らないか監視する（ステップＳ２２）。
【００５２】
品質検知部１０３が受信品質の低下を検知すると、切替確認部１０４がユーザに対して通信で視聴を継続するかどうか確認する（ステップＳ２３）。ユーザが視聴継続を希望すれば、コンテンツ要求送信部７０１は登録電話番号を特定する（ステップＳ２４）。コンテンツ要求送信部７０１はこの特定した登録電話番号に発呼する（ステップＳ２５）。
【００５３】
交換機８０の転送情報特定部８０２は、コンテンツ要求受信部８０１が受信した登録電話番号に対応する転送電話番号を転送情報格納部８５１から選択する（ステップＳ２６）。この選択された転送電話番号に対して、コンテンツ要求転送部８０３が携帯電話機７０からの呼を転送する（ステップＳ２７）。
【００５４】
同時再送信サーバ３０のコンテンツ送信部３０２は、コンテンツ要求受信部３０１が受信したコンテンツの送信要求に基づいて、放送波受信部３０３が受信して出力するコンテンツ若しくはコンテンツ格納部３５１に格納されているコンテンツの中から送信すべきコンテンツを特定する（ステップＳ２８）。コンテンツ送信部３０２は、この特定したコンテンツを携帯電話機７０に送信する（ステップＳ２９）。
【００５５】
携帯電話機７０に送信されたコンテンツはコンテンツ受信部１０９が受信し、視聴部１０２に出力することで再生される（ステップＳ３０）。
【００５６】
前述のように携帯電話機７０はユーザと共に移動するから、再び放送波の品質が所定の品質を上回って、放送波によるコンテンツの視聴が可能になる場合もある。従って、携帯電話機７０の放送波受信部１０１は常に放送波を受信しており、品質検知部１０３はその受信品質を検知して放送波の品質が所定の品質を上回っているかどうかを判断する（ステップＳ３１）。尚、携帯電話機７０の放送波受信部１０１は所定の間隔（一定の間隔や予め定められたパターンに基づく間隔）で放送波を受信するようにしてもよい。
【００５７】
放送波の品質が所定の品質を上回っていれば、品質検知部１０３はその旨の情報を切替確認部１０４に出力する。切替確認部１０４は前述のように、ユーザに対して放送波によるコンテンツの視聴に戻すかどうかを確認する（ステップＳ３２）。ユーザが放送波による視聴を希望すれば、切替確認部１０４はコンテンツ受信部１０９に対してコンテンツの受信を停止するように指示し、視聴部１０２には放送波受信部１０１が出力するコンテンツを出力するように指示する（ステップＳ３３）。従って、放送波受信部１０１が受信したコンテンツが視聴部１０２に出力されて、放送波によるコンテンツの受信及び再生が可能となる（ステップＳ３４）。
【００５８】
（第三実施形態）
本発明の第三実施形態である視聴システムについて図９を参照しながら説明する。図９は、視聴システム１ｃの構成を示した図である。視聴システム１ｃは、携帯電話機９０（視聴端末）と、視聴管理サーバ２２と、同時再送信サーバ３０と、放送局４０とを含む。放送局４０は放送網５０を介して携帯電話機９０にコンテンツを放送することができる。放送局４０が放送するコンテンツは同時再送信サーバ３０も受信することができる。携帯電話機９０、視聴管理サーバ２２、及び同時再送信サーバ３０は、それぞれ移動体通信網６０を介して相互に情報通信可能なように構成されている。尚、同時再送信サーバ３０については第一実施形態において説明したとの同様であるから説明を省略する。
【００５９】
引き続いて、携帯電話機９０について説明する。携帯電話機９０は移動体通信網６０を介しての音声通話やデータ通信と共に、放送網５０を介してのコンテンツ受信も可能な視聴端末である。携帯電話機９０は機能的な構成要素として、放送波受信部１０１（局情報取得手段）と、視聴部１０２と、品質検知部１０３（品質検知手段）と、切替確認部１０４と、コンテンツ要求送受信部９０１（受信切替手段）と、コンテンツ受信部１０９（受信切替手段）とを含む。引き続いて各構成要素について説明する。尚、放送波受信部１０１、視聴部１０２、品質検知部１０３、切替確認部１０４、及びコンテンツ受信部１０９のそれぞれは、第一実施形態において説明したのと同様であるから説明を省略する。
【００６０】
コンテンツ要求送受信部９０１は、切替確認部１０４から出力される放送局ＩＤを視聴管理サーバ２２に送信することでコンテンツの送信を要求する部分である。より具体的には、放送局ＩＤと携帯電話機９０を特定する情報とを視聴管理サーバ２２に送信することでコンテンツの送信を要求する。
【００６１】
コンテンツ要求送受信部９０１が視聴管理サーバ２２にコンテンツの送信を要求すると、視聴管理サーバ２２から受領した旨の通知が送信される。コンテンツ要求送受信部９０１はこの通知を受信すると、移動体通信網６０との接続を切断して待ち受け状態に入る。コンテンツ受信部１０９は、その後同時再送信サーバ３０からコールバックがなされたのに呼応して呼接続を確立し、同時再送信サーバ３０から送信されるコンテンツを受信し、視聴部１０２に出力する。コンテンツ受信部１０９は、切替確認部１０４からコンテンツの受信を停止する指示が出力された場合にはコンテンツの受信を停止する。
【００６２】
引き続いて、視聴管理サーバ２２について説明する。視聴管理サーバ２２は物理的には、ＣＰＵ（中央処理装置）、メモリ、マウスやキーボードといった入力装置、ディスプレイといった表示装置、ハードディスクといった格納装置などを備えたコンピュータシステム（若しくはコンピュータシステムの集合体）である。視聴管理サーバ２２は機能的な構成要素として、コンテンツ要求送受信部２２１と、転送情報特定部２２２（視聴制限手段）と、コンテンツ要求送信部２２３と、転送情報格納部２７１とを含む。引き続いて各構成要素について説明する。
【００６３】
コンテンツ要求送受信部２２１は、携帯電話機９０のコンテンツ要求送受信部９０１が送信する放送局ＩＤと携帯電話機９０を特定する情報とを受信する部分である。コンテンツ要求送受信部２２１は、受信した放送局ＩＤ及び携帯電話機９０を特定する情報を転送情報特定部２２２に出力する。また、コンテンツ要求送受信部２２１は、携帯電話機９０に対してコンテンツの送信要求を受領した旨の通知を送信する。
【００６４】
転送情報特定部２２２は、コンテンツ要求送受信部２２１が出力する放送局ＩＤに基づいて転送情報格納部２７１に格納されている転送先の情報を選択する部分である。転送情報格納部２７１に格納されている情報の例を図１０に示す。図１０に示す例によれば、転送情報格納部２７１には、「放送局ＩＤ」「放送局名」「転送先情報」が関連付けられて格納されている。従って、転送情報特定部２２２は、放送局ＩＤに対応する「転送先情報」としてのＩＰアドレスを選択して、携帯電話機９０を特定する情報と共にコンテンツ要求部２２３に出力する。
【００６５】
コンテンツ要求部２２３は、転送情報特定部２２２から出力されるＩＰアドレスに対して携帯電話機９０を特定する情報を転送し、携帯電話機９０からのコンテンツの送信要求を転送する部分である。従って、視聴管理サーバの転送情報格納部２７１に格納されている転送先情報が、各放送局に応じて適正化されているので、携帯電話機９０からのコンテンツの送信要求は視聴中の放送局の系列に対応する同時再送信サーバ３０へ転送される。
【００６６】
同時再送信サーバ３０では、この送信要求に応じてコンテンツ送信部３０２が携帯電話機９０に対してコールバックしてコンテンツを送信し、携帯電話機９０のコンテンツ受信部１０９が受信することで視聴可能となる。
【００６７】
引き続いて、携帯電話機９０、視聴管理サーバ２２、及び同時再送信サーバ３０の動作について図４を参照しながら説明する。図４は、携帯電話機９０、視聴管理サーバ２２、及び同時再送信サーバ３０の動作を説明するためのシーケンス図である。
【００６８】
携帯電話機９０の放送波受信部１０１がコンテンツを受信し、その受信したコンテンツは視聴部１０２に出力されて再生される（ステップＳ４１）。携帯電話機９０は移動局であるから、携帯電話機９０のユーザが移動することで放送波が届きにくい場所に入る場合がある。品質検知部１０３はこのような場合に備えて放送波の受信品質が所定の品質を下回らないか監視する（ステップＳ４２）。
【００６９】
品質検知部１０３が受信品質の低下を検知すると、切替確認部１０４がユーザに対して通信で視聴を継続するかどうか確認する（ステップＳ４３）。ユーザが視聴継続を希望すれば、コンテンツ要求送受信部９０１は放送局特定情報としての放送局ＩＤを視聴管理サーバ２２に送信する（ステップＳ４４）。
【００７０】
視聴管理サーバ２２のコンテンツ要求送受信部２２１がこの放送局ＩＤを受信して確認を行う（ステップＳ４５）。この確認が終了すると、視聴管理サーバ２２のコンテンツ要求送受信部２２１は確認した旨を携帯電話機９０のコンテンツ要求送受信部９０１に送信し、待ち受け指示を行う（ステップＳ４６）。携帯電話機９０はこの待ち受け指示に応じて視聴管理サーバ２２との通信を切断し、待ち受け状態に入る（ステップＳ４６）。
【００７１】
視聴管理サーバ２２の転送情報特定部２２２が特定する転送先に、コンテンツ要求部２２３は携帯電話機９０の電話番号を送信してコンテンツの送信要求を行う（ステップＳ４８）。同時再送信サーバ３０のコンテンツ送信部３０２は、コンテンツ要求受信部３０１が受信したコンテンツの送信要求に基づいて、放送波受信部３０３が受信して出力するコンテンツ若しくはコンテンツ格納部３５１に格納されているコンテンツの中から送信すべきコンテンツを特定する（ステップＳ４９）。コンテンツ送信部３０２は、この特定したコンテンツを携帯電話機９０に送信する（ステップＳ５０）。
【００７２】
携帯電話機９０に送信されたコンテンツはコンテンツ受信部１０９が受信し、視聴部１０２に出力することで再生される（ステップＳ５１）。
【００７３】
前述のように携帯電話機９０はユーザと共に移動するから、再び放送波の品質が所定の品質を上回って、放送波によるコンテンツの視聴が可能になる場合もある。従って、携帯電話機９０の放送波受信部１０１は常に放送波を受信しており、品質検知部１０３はその受信品質を検知して放送波の品質が所定の品質を上回っているかどうかを判断する（ステップＳ５２）。尚、携帯電話機９０の放送波受信部１０１は所定の間隔（一定の間隔や予め定められたパターンに基づく間隔）で放送波を受信するようにしてもよい。
【００７４】
放送波の品質が所定の品質を上回っていれば、品質検知部１０３はその旨の情報を切替確認部１０４に出力する。切替確認部１０４は前述のように、ユーザに対して放送波によるコンテンツの視聴に戻すかどうかを確認する（ステップＳ５３）。ユーザが放送波による視聴を希望すれば、切替確認部１０４はコンテンツ受信部１０９に対してコンテンツの受信を停止するように指示し、視聴部１０２には放送波受信部１０１が出力するコンテンツを出力するように指示する（ステップＳ５４）。従って、放送波受信部１０１が受信したコンテンツが視聴部１０２に出力されて、放送波によるコンテンツの受信及び再生が可能となる（ステップＳ５５）。
【００７５】
尚、上述の各実施形態では放送局４０が放送するコンテンツを同時再送信サーバ３０が受信しているが、このような形態でなくても同時再送信サーバ３０がコンテンツを取得できるものであればよい。例えば、放送局４０が放送するコンテンツを同時再送信サーバ３０のコンテンツ格納部３５１に予め格納しておく形態等が採用できる。
【００７６】
尚、上述の各実施形態では転送先情報としてＩＰアドレスを用いる記述をしたが、転送先情報としては必ずしもＩＰアドレスに限られるものではなく、例えばＭＡＣ（Ｍｅｄｉａ  Ａｃｃｅｓｓ  Ｃｏｎｔｒｏｌ）アドレスといったような情報でもよく、転送先が特定されれば足りる。
【図面の簡単な説明】
【００７７】
【図１】本発明の第一実施形態である視聴システムを説明するための図である。
【図２】図１の切替情報格納部に格納される情報の例を示す図である。
【図３】図１のコンテンツ格納部に格納される情報の例を示す図である。
【図４】本発明の第一実施形態である視聴システムの動作を説明するための図である。
【図５】本発明の第二実施形態である視聴システムを説明するための図である。
【図６】図５の登録番号格納部に格納される情報の例を示す図である。
【図７】図５の転送情報格納部に格納される情報の例を示す図である。
【図８】本発明の第二実施形態である視聴システムの動作を説明するための図である。
【図９】本発明の第三実施形態である視聴システムを説明するための図である。
【図１０】図９の転送情報格納部に格納される情報の例を示す図である。
【図１１】本発明の第三実施形態である視聴システムの動作を説明するための図である。
【符号の説明】
【００７８】
１ａ…視聴システム、１０…携帯電話機、２０…視聴管理サーバ、３０…同時再送信サーバ、４０…放送局、５０…放送網、６０…移動体通信網、１０１…放送波受信部、１０２…視聴部、１０３…品質検知部、１０４…切替確認部、１０５…切替要求送信部、１０６…切替情報受信部、１０７…視聴確認部、１０８…コンテンツ要求送信部、１０９…コンテンツ受信部、２０１…切替要求受信部、２０２…切替情報特定部、２０３…切替情報送信部、２５１…切替情報格納部、３０１…コンテンツ要求受信部、３０２…コンテンツ送信部、３０３…放送波受信部、３５１…コンテンツ格納部。
【図１】
2005136879.tif 000003
【図２】
2005136879.tif 000004
【図３】
2005136879.tif 000005
【図４】
2005136879.tif 000006
【図５】
2005136879.tif 000007
【図６】
2005136879.tif 000008
【図７】
2005136879.tif 000009
【図８】
2005136879.tif 000010
【図９】
2005136879.tif 000011
【図１０】
2005136879.tif 000012
【図１１】
2005136879.tif 000013